(57)【要約】【課題】長時間座っていても疲れや痛みを感じることなくリラックスでき、コンパクトに折り畳むことができ、そして床面を損傷したり不快な騒音を発したりすることのないロッキングチェアを提供すること。【解決手段】下端側が開放されたコの字状の背フレームと、上端側が開放されたコの字状の座台フレームと、前記背フレームと前記座台フレームに連結されたスティと、後方水平側部が前記背フレームの側部に連結され前方垂直側部が前記座台フレームの上端側部に連結された正面視凹字状の肘掛フレームと、前記背フレームの下方両側部に連結された補強フレームと、前記背フレームの上端部と前記座台フレームの開放上端部に懸架された可撓性のシート材を具備し、前記背フレームと前記座台フレームのいずれか一方を他方の内側に配置すると共に側面視でＸ字状に交差して設ける。【選択図】　　　　図１
2004041400.tif 000002
【特許請求の範囲】
【請求項１】
下端部が開放されたコの字状の背フレームと、上端部が開放されたコの字状の座台フレームと、前記背フレームと前記座台フレームに連結されたスティと、後方水平側部が前記背フレームの側部に連結され前方垂直側部が前記座台フレームの上端側部に連結された正面視で凹字状の肘掛フレームと、前記背フレームの下方両側部に連結された補強フレームと、前記背フレームの上端部と前記座台フレームの開放上端部に懸架された可撓性のシート材を具備し、前記背フレームと前記座台フレームのいずれか一方を他方の内側に配置すると共に側面視でＸ字状に交差して設けてなることを特徴とするロッキングチェア。
【請求項２】
前記背フレーム及び／又は前記座台フレームの下端部には台座が枢着され、該台座を支点にチェア全体が前後方向に回動可能とされていることを特徴とする請求項１に記載のロッキングチェア。
【請求項３】
方形状の背フレームと、上端部が開放されたコの字状の座台フレームと、前記背フレームと前記座台フレームに連結されたスティと、後方水平側部が前記背フレームの側部に連結され前方垂直側部が前記座台フレームの上端側部に連結された正面視でＵ字状の肘掛フレームと、前記背フレームの上端部と前記肘掛フレームのＵ字状部に懸架された可撓性のシート材を具備し、前記背フレームと前記座台フレームのいずれか一方を他方の内側に配置すると共に側面視でＸ字状に交差して設けてなることを特徴とするロッキングチェア。
【請求項４】
前記背フレームと前記座台フレームの下端部には円柱状のクッション部材が挿通され、該クッション部材を支点にチェア全体が前後方向に回動可能とされていることを特徴とする請求項３に記載のロッキングチェア。
【請求項５】
前記肘掛フレームには硬質木製の肘掛部が設けられていることを特徴とする請求項１又は請求項３に記載のロッキングチェア。
【請求項６】
前記硬質木製の肘掛部にはクッション部材が着脱可能に設けられていることを特徴とする請求項５に記載のロッキングチェア。
【請求項７】
前記可撓性のシートにはクッションシートが被覆されていることを特徴とする請求項１又は請求項３に記載のロッキングチェア。
【発明の詳細な説明】
【０００１】
【発明の属する技術分野】
本発明は、ロッキングチェアに関し、さらに詳細には、リラックスして長時間座ることができ、コンパクトに折り畳むことができ、そして床面を損傷したり不快な騒音を発することがないロッキングチェアに関する。
【０００２】
【従来の技術】
従来、椅子の種類の一つとしてロッキングチェア（揺動椅子）が知られている。このロッキングチェアとして最も多用されている典型的なものは、籐製あるいは木製の椅子の脚部を外側に突出させてアーチ型に形成し、このアーチ型の脚部を介して座ったまま椅子全体を前後に揺動させるようにしたものである。しかし、このように脚部が湾曲していると、揺動時に足の指先等が挟まれることがあり、また強く揺動させた場合には前後方向にひっくり返る心配があり、安全上に問題があった。
【０００３】
そこで、例えば特開２００１−４６１６８号公報には、背もたれの左右端部から前側斜め下方に配置された硬鋼線からなる一対の脚部と、これらの脚部の下部に固定されたＵ字状の台座を備えてなるロッキングチェアが提案されている。すなわち、このロッキングチェアはバネ構造により椅子全体を揺動させるようにしたもので、台座自体を常に床面に密着させて安定させたものである。しかし、このような構造のチェアでは、足を挟み込む心配は解消されるとしても、固定式であるため不使用時においてもスペースをとってしまい、また移動あるいは片付け等の取り扱いが面倒であるという欠点があった。
【０００４】
これに対し、例えば実公平７−４１３９２号公報には、図１１に斜視図で示すような折り畳み式のロッキングチェアが提案されている。すなわち、このロッキングチェア１００は、方形状の背フレーム１０１と、方形状の座台フレーム１０２と、背フレーム１０１の側部フレーム１０１ｓと座台フレーム１０２の側部フレーム１０２ｓとをピン１０３を介して連結する下リンクロッド１０４と、一端側が側部フレーム１０１ｓに固定され他端側が側部フレーム１０２ｓに固定された肘掛リンクロッド１０５と、一端側が背フレーム１０１の上部フレーム１０１ｔに懸架され他端側が座台フレーム１０２の上部フレーム１０２ｔに懸架されて背もたれ部１０６及び座部１０７を形成する可撓性のシート材１０８を具備し、背フレーム１０１と座台フレーム１０２のいずれか一方が他方の内側に位置し、かつ側面視でＸ字状に交差するように設け、リンク機構を介して背フレーム１０１と座台フレーム１０２とを平坦に折り畳めるようにしたものである。
【０００５】
【解決しようとする課題】
しかしながら、このロッキングチェア１００は、座部１０７に人が座ったとき、脚部、すなわち大腿部の裏側、あるいは膝部の裏側が座台フレーム１０２の固い棒状の上部フレーム１０２ｔに当たるため、長い間座っているとこの部分が痛くなったり疲れたりする欠点があった。また、ロッキングチェア１００にかかる全重量を背フレーム１０１の下部フレーム１０１ｄと座台フレーム１０２の下部フレーム１０２ｄの両者で受けるようになっているので、チェア全体が揺動すると下部フレーム１０１ｄと下部フレーム１０２ｄが床面に対し前後方向に摺動する。このため、床面を損傷し、あるいはギシギシという不快な騒音を発するという欠点があった。
【０００６】
本発明は、上述したような実情に鑑みなされたもので、長時間座っていても疲れや痛みを感じることなくリラックスでき、コンパクトに折り畳むことができ、そして床面を損傷したり不快な騒音を発したりすることのないロッキングチェアを提供することを目的とする。
【０００７】
【課題を解決するための手段】
本発明の上記目的は、下端部が開放されたコの字状の背フレームと、上端部が開放されたコの字状の座台フレームと、前記背フレームと前記座台フレームに連結されたスティと、後方水平側部が前記背フレームの側部に連結され前方垂直側部が前記座台フレームの上端側部に連結された正面視で凹字状の肘掛フレームと、前記背フレームの下方両側部に連結された補強フレームと、前記背フレームの上端部と前記座台フレームの開放上端部に懸架された可撓性のシート材を具備し、前記背フレームと前記座台フレームのいずれか一方を他方の内側に配置すると共に側面視でＸ字状に交差して設けてなることを特徴とするロッキングチェアによって達成される。
【０００８】
また、本発明の上記目的は、前記背フレーム及び／又は前記座台フレームの下端部には台座が枢着され、該台座を支点にチェア全体が前後方向に回動可能とされていることを特徴とするロッキングチェアによって、より効果的に達成される。
【０００９】
また、本発明の上記目的は、方形状の背フレームと、上端部が開放されたコの字状の座台フレームと、前記背フレームと前記座台フレームに連結されたスティと、後方水平側部が前記背フレームの側部に連結され前方垂直側部が前記座台フレームの上端側部に連結された正面視でＵ字状の肘掛フレームと、前記背フレームの上端部と前記肘掛フレームのＵ字状部に懸架された可撓性のシート材を具備し、前記背フレームと前記座台フレームのいずれか一方を他方の内側に配置すると共に側面視でＸ字状に交差して設けてなることを特徴とするロッキングチェアによって達成される。
【００１０】
また、本発明の上記目的は、前記背フレームと前記座台フレームの下端部には円柱状のクッション部材が挿通され、該クッション部材を支点にチェア全体が前後方向に回動可能とされていることを特徴とするロッキングチェアによって、より効果的に達成される。
【００１１】
また、本発明の上記目的は、前記肘掛フレームには硬質木製の肘掛部が設けられていることを特徴とするロッキングチェアによって、より効果的に達成される。
【００１２】
また、本発明の上記目的は、前記硬質木製の肘掛部にはクッション部材が着脱可能に設けられているロッキングチェアによって、より効果的に達成される。
【００１３】
さらにまた、本発明の上記目的は、前記可撓性のシートにはクッションシートが被覆されていることを特徴とするロッキングチェアによって、より効果的に達成される。
【００１４】
【発明の実施の形態】
以下、本発明の内容を、本発明の実施の形態を示す添付図面に基づき詳述する。
なお、本発明は以下の実施例に限定されるものではないことはいうまでもない。
【００１５】
図１は、本発明に係わるロッキングチェアの斜視図、図２はその側面図、図３はその正面図である。なお、これらの図では、説明の都合上、骨格部分が実線で示され、付随品については二点鎖線（仮想線）で示されている。
【００１６】
本ロッキングチェア１０は、下端部１１ｄが開放されたコの字状の背フレーム１１と、上端部１２ｔが開放されたコの字状の座台フレーム１２と、背フレーム１１の側部フレーム１１ｓと座台フレーム１２の側部フレーム１２ｓにピン１３により連結されたスティ１４と、水平側部フレーム１６ｓの後方が側部フレーム１１ｓの略中央部に、前方の垂直側部フレーム１６ｆが側部フレーム１２ｓの上端側部１２ｆにピン１５により連結された肘掛フレーム１６と、背フレーム１１の下方の側部フレーム１１ｓ間に連結された補強フレーム１７と、一端側が背フレーム１１の上部フレーム１１ｔに他端側が座台フレーム１２の開放上端部１２ｆに懸架された可撓性のシート材１８を具備し、図３に示すように背フレーム１１を座台フレーム１２の内側に配置すると共に、図２に示すように側面視でＸ字状に交差して設けることにより、骨格が形成されている。なお、背フレーム１１と座台フレーム１２との配置は必要に応じ内外逆にしてもよい。
【００１７】
背フレーム１１は、スチール（鉄鋼）製の中空角材又は丸材によって形成され、背当て部１９に相当する部分において傾斜角が略垂直方向に曲げられている。なお、背フレーム１１の素材には、このほか例えばアルムニウムあるいは合金等の金属材、あるいは剛性を有するプラスチック材等からなるパイプ状の材料又は木材を使用することも可能である。
【００１８】
座台フレーム１２は、背フレーム１１と同一の材料で形成され、側部フレーム１２ｓが下部フレーム１２ｄ側より斜め前方に傾斜して立ち上げられた後、開放上端部１２ｆで略水平に曲げられている。
【００１９】
可撓性のシート材１８は、例えば麻や綿等の天然繊維や皮革、あるいは合成繊維や合成皮革により作られ、図４に斜視図で示すように、上端部１８ｔ及び下端部１８ｄの裏面側には、夫々、袋体１８ｔｗ及び１８ｄｗが形成されている。なお、袋体１８ｔｗは背フレーム１１の上部フレーム１１ｔを被包する大きさに、また袋体１８ｄｗは座部フレーム１２の開放上端部１２ｆを被包する大きさに作られている。このように作られたシート材１８は、袋体１８ｔｗが背フレーム１１の上部フレーム１１ｔに、また袋体１８ｄｗが座台フレーム１２の開放上部先端１２ｆに懸架される。このようにシート材１８を張設することにより背もたれ部１９及び座部２０が形成される。
【００２０】
肘掛フレーム１６は、背フレーム１１及び座台フレーム１２と同一の材料により作られ、左右側から水平側部フレーム１６ｓが前方に突出し、肘掛位置１６ｐを過ぎた部分から垂直方向に曲げられて垂直フレーム１６ｆが形成され、さらに座台フレーム１２の開放上端部１２ｆより下方の位置で左右の垂直フレーム１６ｆが直線状に連結されて下部フレーム１６ｕが形成されている。したがって、このように水平側部フレーム１６ｓ，垂直フレーム１６ｆ，下部フレーム１６ｕによって形成された肘掛フレーム１６を正面側から見ると、図３に示すように、全体が凹字状となっている。上述した座部２０を形成するシート材１８の前端部は、この下部フレーム１６ｕの上方に仮想線で示すように湾曲して配置される。
【００２１】
本ロッキングチェア１０はこのように作られているので、人がシート材１８に座ると、大腿部の裏側、あるいは膝部の裏側が下方に湾曲して形成された柔軟な座部２０の前端部のシート材１８で支持されるので、長時間に渡って座っていても、脚部が痛くなったり疲れたりすることがない。
【００２２】
なお、肘掛フレーム１６の肘掛位置１６ｐには、例えば欧州ブナやケヤキあるいは樺材等の、硬質の木材で作製された肘掛部２１が固着され、この肘掛部２１の前端部には曲面が形成されている。このような肘掛部２１を設けることにより本ロッキングチェア１０には美感と高級感が与えられる。
【００２３】
本ロッキングチェア１０では、このような肘掛部２１の周囲に、図５に一部断面斜視図で示すような肘掛クッション部材２２が取り付けられている。この肘掛クッション部材２２は、例えばスポンジや発泡ウレタン等からなる円筒状のクッション材２２ｃを布製のシート２２ｓで覆うと共に、その側部にマジックファスナーやジッパー等の開閉部材２２ｍを設けて開閉自在な開口部２２ｈを形成してなるもので、開口部２２ｈを開いて肘掛部２１に着脱可能に装着される。このような肘掛クッション部材２２を設けることにより、肘部が痛くなったり疲れたりすることがなく、リラックスして座ることができる。
【００２４】
本ロッキングチェア１０では、側部フレーム１１ｓの下端部に台座２３が枢着され、この台座２３を支点としてチェア全体が前後方向に回動可能とされている。台座２３は、図６（Ａ）に側面図で、（Ｂ）に正面断面図で示すように、プラスチック製の台座本体２３ａと、これと同一の材料で作られ、台座本体２３ａの内部に嵌着された支持部材２３ｂとからなっている。なお、支持部材２３ｂは、図６（Ａ）に示すように底部が半円状に形成され、（Ｂ）に示すように左右両端には円柱状のボス２３ｃが突設されて台座本体２３ａの内部に設けられた凹部２３ｄに支承されている。このように、背フレーム１１の側部フレーム１１ｓの下端部が台座２３に枢着されているので、本ロッキングチェア１０が揺動すると、背フレーム１１は図６（Ａ）に矢印Ｙで示すように前後方向に回動する。このとき、台座２３はその底面が床面にピッタリと密着されていて前後方向に殆ど摺動することがないので、揺動による床面の損傷や騒音の発生が防止される。なお、図６（Ａ），（Ｂ）に点線で示すように、台座２３の底部にゴムあるいは合成樹脂等の弾性を有するクッション部材２３ｇを設けると、より一層顕著な効果が得られる。
【００２５】
一方、座台フレーム１２の下部フレーム１２ｄには、前記同様な素材からなる円柱状のクッション部材２４が左右方向に２個嵌着されている。これにより、本ロッキングチェア１０が揺動すると、この下部フレーム１２ｄに作用する前後方向への回動力がクッション部材２４により緩和され、床面の損傷及び騒音の発生が防止される。
【００２６】
なお、このようなクッション部材２４を座台フレーム１２の下部フレーム１２ｄに設ける代わりに、図８に側面図で示すように、上前記台座２３を下部フレーム１２ｄに枢着して座台フレーム１２Ａを構成し、この座台フレーム１２Ａを背フレーム１１と共に前後方向に回動するようにすることも可能である。
【００２７】
本ロッキングチェア１０は以上のとおり構成されているので、背フレーム１１の上部フレーム１１ｔと、座台フレーム１２にピン１５を介して連結された肘掛フレーム１６とを夫々片手で持って両者を合わせると、図７に斜視図で示すように、全体を平坦に折り畳むことができる。よって、持ち運びや移動が楽になり、また不使用時には折り畳んでおくことにより、スペースを有効に活用できる。
【００２８】
なお、本ロッキングチェア１０では、例えば蒲団あるいは毛布等からなる厚いクッションシート（図示せず）により図４に示すような形状の袋体を形成し、これを前記シート材１８に被覆することによりさらにクッション性を持たせたロッキングチェアとすることができる。背もたれ部１９及び座部２０をこのような部材で形成すると、背中から大腿部に至る全ての疲れが解消され、一層リラックスして座ることができる。
【００２９】
図９は、本発明に係わるロッキングチェアのさらに他の実施形態を示す斜視図であり、図１０はその側面図である。なお、これらの図では前述したロッキングチェア１０と同一の構成部品には同一の符号が付されて示されている。
【００３０】
すなわち、本ロッキングチェア１０’は、下端部１１ｄが開放されたコの字状の背フレーム１１と、上端部１２ｔが開放されたコの字状の座台フレーム１２と、背フレーム１１の側部フレーム１１ｓと座台フレーム１２の側部フレーム１２ｓにピン１３により連結されたスティ１４と、水平側部フレーム１６ｓの後方が側部フレーム１１ｓの略中央部に、前方の垂直側部フレーム１６ｆが側部フレーム１２ｓの上端側部１２ｆにピン１５により連結された肘掛フレーム１６と、背フレーム１１の下方の側部フレーム１１ｓ間に連結された補強フレーム１７と、一端側が背フレーム１１の上部フレーム１１ｔに他端側が座台フレーム１２の開放上端部１２ｆに懸架された可撓性のシート材１８を具備し、図３に示すように背フレーム１１を座台フレーム１２の内側に配置すると共に、図２に示すように側面視でＸ字状に交差して設けることにより、骨格が形成されている。方形状の背フレーム１１’と、上端部１２’ｔが開放されたコの字状の座台フレーム１２’と、背フレーム１１’の側部フレーム１１’ｓと座台フレーム１２’の側部フレーム１２’ｓにピン１３で連結されたスティ１４と、水平側部フレーム１６’ｓの後方が側端部１１’ｓに連結され、前方の垂直側部フレーム１６’ｆが側部フレーム１２’ｓの上端側部１２’ｆにピン１５により連結された正面視でＵ字状に形成された肘掛フレーム１６’と、背フレーム１１’の上端部１１’ｆと肘掛フレーム１６’の前方下部フレーム１６’ｕに懸架された可撓性のシート材１８を具備し、背フレーム１１’と座台フレーム１２’のいずれか一方を他方の内側に配置すると共に側面視でＸ字状に交差して設けてなっている。なお、肘掛フレーム１６’の前方下部フレーム１６’ｕは下側に緩やかな曲線をもって湾曲状に形成されている。
【００３１】
また、本ロッキングチェア１０’では、背フレーム１１’及び座台フレーム１２’の各下端部１１’ｄ，１２’ｄに夫々前述したような素材からなる円柱状のクッション部材２５，２６が挿通され、クッション部材２５，２６そのものがチェアと床の緩衝材となると共に、このクッション部材２５，２６を支点にチェア全体が前後方向に回動可能となっている。
【００３２】
本ロッキングチェア１０’このように構成されているので、前述したロッキングチェア１０と同様にコンパクトに折り畳むことができ、また、可撓性のシート１８の前端部が下側に緩やかな曲線をもって湾曲状に形成されたＵ字状フレーム１６’ｕに懸架されているので、座ったときに脚部の裏側に作用する力が緩和される。このため脚部に痛みや疲れを感じることがなく、長時間に渡りリラックスして座ることができる。
【００３３】
さらにまた、背フレーム１１’及び座台フレーム１２’の各下端部１１’ｄ，１２’ｄに円柱状のクッション部材２５，２６が挿通され、これを支点にチェア全体が前後方向に回動可能となっているので、そのクッション性と相まって床面に作用する力が緩和される。このため揺動しても床面を損傷することがなく、また不快な騒音を発生することがない。
【００３４】
【発明の効果】
以上に説明したように、本発明に係わるロッキングチェアによれば、脚部に痛みや疲れを感じることがないので長時間に渡ってリラックスして座ることができ、また、コンパクトに折り畳むことができるので移動や持ち運び等の取り扱いが容易であり、さらにまた、床面に作用する力が緩和されるので床面の損傷や深いな騒音の発生が防止される。
【図面の簡単な説明】
【図１】本発明の一実施形態に係わるロッキングチェアの骨格を示す斜視図である。
【図２】図１の側面図である。
【図３】図１の正面図である。
【図４】シート材の斜視図である。
【図５】肘掛クッション部材の斜視図である。
【図６】（Ａ）は座台の側面図、（ｂ）は正面断面図である。
【図７】上記のロッキングチェアを折り畳んだときの状態を示す斜視図である。
【図８】ロッキングチェア下端部の構成の変更例を示す側面図である。従来のロッキングチェアの斜視図である。
【図９】本発明の他の実施形態に係わるロッキングチェアの骨格を示す斜視図である。
【図１０】図９の側面図である。
【図１１】従来のロッキングチェアの骨格を示す斜視図である。
【符号の説明】
１０，１０’　　　　　（本発明に係わる）ロッキングチェア
１１，１１’　　　　　背フレーム
１２，１２’　　　　　座台フレーム
１４　　　　　　　　　スティ
１６　　　　　　　　　肘掛フレーム
１７　　　　　　　　　補強フレーム
１８　　　　　　　　　シート材
１９　　　　　　　　　背当て部
２０　　　　　　　　　座部
２１　　　　　　　　　肘掛部
２２　　　　　　　　　肘掛クッション部材
２３　　　　　　　　　座台
２５，２６　　　　　　クッション部材
１００　　　　　　　（従来の）ロッキングチェア
【図１】
2004041400.tif 000003
【図２】
2004041400.tif 000004
【図３】
2004041400.tif 000005
【図４】
2004041400.tif 000006
【図５】
2004041400.tif 000007
【図６】
2004041400.tif 000008
【図７】
2004041400.tif 000009
【図８】
2004041400.tif 000010
【図９】
2004041400.tif 000011
【図１０】
2004041400.tif 000012
【図１１】
2004041400.tif 000013